(57)【要約】      （修正有）【課題】適切な時期に容易に取り替えることができる歯ブラシを提供する。【解決手段】一組の歯ブラシ１４は、１月乃至１２月の各月を識別可能な第１識別記号Ａ１乃至Ａ３がそれぞれ表示された１２本の歯ブラシ１４ａ乃至１４ｃであるので、第１識別記号Ａ１乃至Ａ３が当月を表示する歯ブラシ１４ａ乃至１４ｃを用いると共に、その第１識別記号Ａ１乃至Ａ３が示す月が変わるとその歯ブラシ１４ａ乃至１４ｃを取り替える。このため、一組の歯ブラシ１４を１ヶ月に１回月が変わると取り替えるので、適切な時期に容易に歯ブラシ１４ａ乃至１４ｃを取り替えることができる。【選択図】図８
0003185486.tif 000002
【実用新案登録請求の範囲】
【請求項１】
一組の歯ブラシであって、
前記一組の歯ブラシは、１月乃至１２月の各月を識別可能な識別記号がそれぞれ表示された１２本の歯ブラシであることを特徴とする一組の歯ブラシ。
【請求項２】
前記一組の歯ブラシは、一つの箱本体に形成された１２個の穴部にそれぞれの下部を差し入れられており、
前記箱本体の１２個の穴部の外周縁部には、その穴部に差し入れられた前記歯ブラシに表示された前記識別記号に対応する月を示す他の識別記号がそれぞれ表示されている請求項１の一組の歯ブラシ。
【請求項３】
前記箱本体に形成された穴部は、前記箱本体の上面を構成する厚紙に切り込まれた切込みにより形成された部分が、前記箱本体の内側に折り曲げられることによって形成されたものである請求項２の一組の歯ブラシ。
【請求項４】
前記穴部が形成された前記箱本体の上面は、上方に向かう程互に接近する一対の斜面から構成されている請求項３の一組の歯ブラシ。
【請求項５】
前記一対の斜面には、前記１２個の穴部のうちの６個の穴部がそれぞれ配設されている請求項４の一組の歯ブラシ。
【請求項６】
前記一対の斜面にそれぞれ形成された６個の穴部は、縦方向において所定間隔を隔てる一対の穴部が該穴部の横方向寸法よりも短いピッチで３ヶ所に配設されており、
所定の一対の穴部の端部は、他の一対の穴部の端部と縦方向において重なっている請求項５の一組の歯ブラシ。
【請求項７】
前記箱本体は、外箱によりその全体を下方から嵌め入れられ、
該外箱には、前記箱本体の穴部に差し入れられた前記１２本の歯ブラシが示す各月を示す１２個の記号が表示される請求項２乃至６のいずれか１の一組の歯ブラシ。
【請求項８】
前記１２本の歯ブラシは、それら１２本の歯ブラシを収容する１つの収容袋に入れられている請求項１の一組の歯ブラシ。
【考案の詳細な説明】
【技術分野】
【０００１】
本考案は、好適には一つの箱に収容された一組の歯ブラシに関し、特に適切な時期に取り替えることを容易にする歯ブラシに関するものである。
【背景技術】
【０００２】
一般的に、例えば特許文献１等に示す歯ブラシは、所定期間の使用であれば一定の歯垢の除去効果が得られるが、その歯ブラシを所定期間を超えて使用して例えば毛先が開いた状態で使用すると著しく歯垢の除去効果が落ちてしまう性質がある。このため、歯ブラシを適切な時期に取り替える必要があり、例えば歯科医院等では、その歯ブラシの取り替え時期を「毛先が開いてきたら」と指導したり、「１ヶ月に１回を目安に」と指導している。
【先行技術文献】
【特許文献】
【０００３】
【特許文献１】特開２０１２−７５７２５号公報
【考案の概要】
【考案が解決しようとする課題】
【０００４】
しかしながら、歯ブラシを使用する人例えば歯ブラシの知識のない一般の人にとって、歯ブラシの毛先がどれくらい開いたら取り替えればいいのか明確ではなく、また、歯科医院等で「１ヶ月に一回」と言われてもそのことを忘れがちである。このため、適切な時期に歯ブラシを取り替えることが困難であるという問題があった。
【０００５】
本考案は以上の事情を背景として為されたものであり、その目的とするところは、適切な時期に容易に取り替えることができる歯ブラシを提供することにある。
【課題を解決するための手段】
【０００６】
斯かる目的を達成するために、本考案の要旨とするところは、(a) 一組の歯ブラシであって、(b) 前記一組の歯ブラシは、１月乃至１２月の各月を識別可能な識別記号がそれぞれ表示された１２本の歯ブラシであることにある。
【考案の効果】
【０００７】
このように構成された一組の歯ブラシによれば、前記一組の歯ブラシは、１月乃至１２月の各月を識別可能な識別記号がそれぞれ表示された１２本の歯ブラシであるので、前記識別記号が当月を表示する歯ブラシを用いると共に、その識別記号が示す月が変わるとその歯ブラシを取り替える。このため、前記一組の歯ブラシを１ヶ月に１回月が変わると取り替えるので、適切な時期に容易に歯ブラシを取り替えることができる。
【０００８】
ここで、好適には、(a) 前記一組の歯ブラシは、一つの箱本体に形成された１２個の穴部にそれぞれの下部を差し入れられており、(b) 前記箱本体の１２個の穴部の外周縁部には、その穴部に差し入れられた前記歯ブラシに表示された前記識別記号に対応する月を示す他の識別記号がそれぞれ表示されている。このため、月が変わり前記歯ブラシを取り替える時において、前記箱本体の穴部の外周縁部に表示された前記他の識別記号からも現在の月を表す歯ブラシを取り出すことができるので、月が変わったら前記歯ブラシを容易に取り替えることができる。
【０００９】
また、好適には、前記箱本体に形成された穴部は、前記箱本体の上面を構成する厚紙に切り込まれた切込みにより形成された部分が、前記箱本体の内側に折り曲げられることによって形成されたものである。このため、前記箱本体の上面に形成された穴部に一部が差し入れられた歯ブラシがそれぞれ容易に保持されることができる。
【００１０】
また、好適には、前記穴部が形成された前記箱本体の上面は、上方に向かう程互に接近する一対の斜面から構成されている。このため、前記箱本体の上面を平面視の面積よりも大きい一対の斜面を用いて１２本の歯ブラシをそれぞれ穴部に差し入れることができると共に、例えば前記箱本体を正面から見た時において、前記箱本体の前記穴部の外周縁部に表示された前記他の識別記号を好適に見ることができる。
【００１１】
また、好適には、前記一対の斜面には、前記１２個の穴部のうちの６個の穴部がそれぞれ配設されている。このため、例えば一つの斜面に１２個の穴部を配設するに比較して前記箱本体の高さ寸法を好適に小さくすることができる。
【００１２】
また、好適には、(a) 前記一対の斜面にそれぞれ形成された６個の穴部は、縦方向において所定間隔を隔てる一対の穴部がその穴部の横方向寸法よりも短いピッチで３ヶ所に配設されており、(b) 所定の一対の穴部の端部は、他の一対の穴部の端部と縦方向において重なっている。このため、比較的小さい面積の一対の斜面において、穴部の大きさを好適に大きくすることができる。
【００１３】
また、好適には、(a) 前記箱本体は、外箱によりその全体を下方から嵌め入れられ、(b) その外箱には、前記箱本体の穴部に差し入れられた前記１２本の歯ブラシが示す各月を示す１２個の記号が表示される。このため、前記外箱には、前記１２本の歯ブラシが示す各月を示す記号が表示されているので、前記外箱のデザイン性が向上すると共に、１年分の１２本の歯ブラシが収容されている商品であることが容易に視認される。
【００１４】
また、好適には、前記１２本の歯ブラシは、それら１２本の歯ブラシを収容する１つの収容袋に入れられている。このため、その共通の１つの収容袋によって前記１２本の歯ブラシがそれぞれバラバラになることがなくなるので、一年間を通して１２本の歯ブラシを好適に使用することができる。
【図面の簡単な説明】
【００１５】
【図１】本考案の一実施例の一組の歯ブラシが収容された箱を示す正面図である。
【図２】図１の箱の外箱が取り外された状態の箱本体を示す図である。
【図３】一組の歯ブラシが差し入れられる前の状態の図２の箱本体を示す図である。
【図４】図３の矢印IV方向から見た図である。
【図５】図４の矢印Ｖ方向から見た図である。
【図６】図２の箱本体に差し入れられた一組の歯ブラシの１本を示す図である。
【図７】図６の矢印VII方向から見た歯ブラシの毛先を示す図である。
【図８】１月乃至３月の各月を識別可能な識別記号が表示された歯ブラシが図３の箱本体に差し入れられた状態を示す図である。
【図９】４月乃至６月の各月を識別可能な識別記号が表示された歯ブラシが図５の箱本体に差し入れられた状態を示す図である。
【図１０】７月乃至９月の各月を識別可能な識別記号が表示された歯ブラシが図３の箱本体に差し入れられた状態を示す図である。
【図１１】１０月乃至１２月の各月を識別可能な識別記号が表示された歯ブラシが図５の箱本体に差し入れられた状態を示す図である。
【図１２】本考案の他の実施例の一組の歯ブラシを説明する図であって、一組の歯ブラシが収容された１つの袋を示す図である。
【図１３】本考案の他の実施例の一組の歯ブラシを説明する図であって、図７に相当する図である。
【考案を実施するための形態】
【００１６】
以下、本考案の一実施例を、図面を参照しつつ説明する。なお、以下の実施例において図は理解を容易とするために適宜簡略化或いは変形されており、各部の寸法比および形状等は必ずしも正確に描かれていない。
【実施例１】
【００１７】
図１は本考案の一実施例の一組の歯ブラシが収容された箱１０を示す正面図であり、図２はその箱１０の外箱１２が取り外された状態を示す図である。図１および図２に示すように、箱１０は、一組の歯ブラシ１４すなわち１２本の歯ブラシ１４ａ乃至１４ｌが差し入れられた箱本体１６と、その箱本体１６の全体を下方から嵌め入れる例えば厚紙等から成る外箱１２とから構成されている。なお、外箱１２は、図１に示すように、箱本体１６の全体を覆っている。
【００１８】
図３は１２本の歯ブラシ１４ａ乃至１４ｌが差し入れられる前の状態の箱本体１６を示す正面図であり、図４は上記図３の矢印IV方向から見た図であり、図５は上記図４の矢印Ｖ方向から見た図である。箱本体１６は、図３乃至図５に示すように、例えば厚紙等が折り曲げられることによって成形されたものであり、その箱本体１６の上面を構成する厚紙には、それぞれ１２本の歯ブラシ１４ａ乃至１４ｌの下部(後述するヘッド部Ｇ２およびネック部Ｇ４)を差し入れる１２個の穴部１６ａが形成されている。また、箱本体１６に形成された穴部１６ａは、その箱本体１６の上面を構成する厚紙に切り込まれた切込み１６ｂにより形成された逆扇状の部分１６ｃが、箱本体１６の内側に折り曲げられることによって形成されている。また、１２個の穴部１６ａが形成された上記箱本体１６の上面は、図４に示すように、箱本体１６の上方に向かう程互いに接近する一対の斜面１６ｄ、１６ｅから構成されている。
【００１９】
上記一対の斜面１６ｄ、１６ｅには、図３および図５に示すように、１２個の穴部１６ａのうちの６個の穴部１６ａがそれぞれ配設されている。また、一対の斜面１６ｄ、１６ｅにそれぞれ形成された６個の穴部１６ａは、縦方向Ｈにおいて所定間隔Ｄを隔てる一対の穴部１６ａがその穴部１６ａの横方向寸法Ｍよりも短いピッチで３ヶ所に配設されており、所定の一対の穴部１６ａの横方向Ｗの端部は、他の一対の穴部１６ａの横方向Ｗの端部と縦方向Ｈにおいて重なっている。なお、図３および図５において、上記縦方向Ｈは箱本体１６の長手方向を示すものであり、上記横方向Ｗは箱本体１６の幅方向を示すものである。
【００２０】
１２本の歯ブラシ１４ａ乃至１４ｌは、例えば図６に示すように、それぞれ、複数本の毛を束ねた毛束Ｇ１が複数箇所に植毛されたヘッド部Ｇ２と、使用者が歯ブラシ１４ａ乃至１４ｌを把持するための長手状の把持部Ｇ３と、その把持部Ｇ３とヘッド部Ｇ２とを連結するそれらヘッド部Ｇ２および把持部Ｇ３の断面積よりも小さい断面積のネック部Ｇ４とを一体に備えている。なお、歯ブラシ１４ａ乃至１４ｌにおいてその歯ブラシ１４ａ乃至１４ｌの毛先Ｇ５の形状は、図７に示すように、毛先Ｇ５の先端に向かうに連れて径が縮径されるテーパー形状であり、その毛先Ｇ５の先端が丸く形成されている。
【００２１】
１２本の歯ブラシ１４ａ乃至１４ｌにおいて、それら歯ブラシ１４ａ乃至１４ｌの把持部Ｇ３には、１月乃至１２月の各月を識別可能な第１識別記号(識別記号)Ａ１乃至Ａ１２が例えば刻印、印刷等によってそれぞれ表示されている。
【００２２】
例えば、図８に示すように、歯ブラシ１４ａの把持部Ｇ３に表示された第１識別記号Ａ１は、「１月」を識別することが可能な「January」および「１」とその「１月」に関連する「松」の絵とであり、歯ブラシ１４ｂの把持部Ｇ３に表示された第１識別記号Ａ２は、「２月」を識別することが可能な「February」および「２」とその「２月」に関連する「節分の鬼」の絵とであり、歯ブラシ１４ｃの把持部Ｇ３に表示された第１識別記号Ａ３は、「３月」を識別することが可能な「March」および「３」とその「３月」に関連する「梅」の絵とである。また、図９に示すように、歯ブラシ１４ｄの把持部Ｇ３に表示された第１識別記号Ａ４は、「４月」を識別することが可能な「April」および「４」とその「４月」に関連する「団子」の絵とであり、歯ブラシ１４ｅの把持部Ｇ３に表示された第１識別記号Ａ５は、「５月」を識別することが可能な「May」および「５」とその「５月」に関連する「若草」の絵とであり、歯ブラシ１４ｆの把持部Ｇ３に表示された第１識別記号Ａ６は、「６月」を識別することが可能な「June」および「６」とその「６月」に関連する「雨の滴」の絵とである。また、図１０に示すように、歯ブラシ１４ｇの把持部Ｇ３に表示された第１識別記号Ａ７は、「７月」を識別することが可能な「July」および「７」とその「７月」に関連する「星」の絵とであり、歯ブラシ１４ｈの把持部Ｇ３に表示された第１識別記号Ａ８は、「８月」を識別することが可能な「August」および「８」とその「８月」に関連する「スイカ」の絵とであり、歯ブラシ１４ｉの把持部Ｇ３に表示された第１識別記号Ａ９は、「９月」を識別することが可能な「September」および「９」とその「９月」に関連する「栗」の絵とである。また、図１１に示すように、歯ブラシ１４ｊの把持部Ｇ３に表示された第１識別記号Ａ１０は、「１０月」を識別することが可能な「October」および「１０」とその「１０月」に関連する「ハロウィン」の絵とであり、歯ブラシ１４ｋの把持部Ｇ３に表示された第１識別記号Ａ１１は、「１１月」を識別することが可能な「November」および「１１」とその「１１月」に関連する「リンゴ」の絵とであり、歯ブラシ１４ｌの把持部Ｇ３に表示された第１識別記号Ａ１２は、「１２月」を識別することが可能な「December」および「１２」とその「１２月」に関連する「クリスマスの長靴」の絵とである。
【００２３】
箱本体１６の１２個の穴部１６ａの外周縁部には、図８乃至図１１に示すように、その穴部１６ａに差し入れられた歯ブラシ１４ａ乃至１４ｌの把持部Ｇ３に表示された第１識別記号Ａ１乃至Ａ１２に対応する月を示す第２識別記号(他の識別記号)Ｃ１乃至Ｃ１２がそれぞれ表示されている。
【００２４】
例えば、図８に示すように、「１月」を識別することが可能な第１識別記号Ａ１が表示された歯ブラシ１４ａが差し入れられた穴部１６ａの外周縁部には、第２識別記号Ｃ１として「１月」が表示され、「２月」を識別することが可能な第１識別記号Ａ２が表示された歯ブラシ１４ｂが差し入れられた穴部１６ａの外周縁部には、第２識別記号Ｃ２として「２月」が表示され、「３月」を識別することが可能な第１識別記号Ａ３が表示された歯ブラシ１４ｃが差し入れられた穴部１６ａの外周縁部には、第２識別記号Ｃ３として「３月」が表示されている。また、図９に示すように、「４月」を識別することが可能な第１識別記号Ａ４が表示された歯ブラシ１４ｄが差し入れられた穴部１６ａの外周縁部には、第２識別記号Ｃ４として「４月」が表示され、「５月」を識別することが可能な第１識別記号Ａ５が表示された歯ブラシ１４ｅが差し入れられた穴部１６ａの外周縁部には、第２識別記号Ｃ５として「５月」が表示され、「６月」を識別することが可能な第１識別記号Ａ６が表示された歯ブラシ１４ｆが差し入れられた穴部１６ａの外周縁部には、第２識別記号Ｃ６として「６月」が表示されている。また、図１０に示すように、「７月」を識別することが可能な第１識別記号Ａ７が表示された歯ブラシ１４ｇが差し入れられた穴部１６ａの外周縁部には、第２識別記号Ｃ７として「７月」が表示され、「８月」を識別することが可能な第１識別記号Ａ８が表示された歯ブラシ１４ｈが差し入れられた穴部１６ａの外周縁部には、第２識別記号Ｃ８として「８月」が表示され、「９月」を識別することが可能な第１識別記号Ａ９が表示された歯ブラシ１４ｉが差し入れられた穴部１６ａの外周縁部には、第２識別記号Ｃ９として「９月」が表紙されている。また、図１１に示すように、「１０月」を識別することが可能な第１識別記号Ａ１０が表示された歯ブラシ１４ｊが差し入れられた穴部１６ａの外周縁部には、第２識別記号Ｃ１０として「１０月」が表示され、「１１月」を識別することが可能な第１識別記号Ａ１１が表示された歯ブラシ１４ｋが差し入れられた穴部１６ａの外周縁部には、第２識別記号Ｃ１１として「１１月」が表示され、「１２月」を識別することが可能な第１識別記号Ａ１２が表示された歯ブラシ１４ｌが差し入れられた穴部１６ａの外周縁部には、第２識別記号Ｃ１２として「１２月」が表示されている。
【００２５】
図３および図５に示すように、箱本体１６の上面を構成する厚紙に切り込まれた切込み１６ｂによって形成された逆扇状の部分１６ｃには、それぞれ、穴部１６ａの外周縁部に表示された第２識別記号Ｃ１乃至Ｃ１２から識別される１月乃至１２月の各月に関連する記号Ｅ１乃至Ｅ１２が表示されている。
【００２６】
例えば、図３に示すように、穴部１６ａの外周縁部に「１月」と表示された逆扇状の部分１６ｃには、「獅子舞」を表す記号Ｅ１が表示されており、穴部１６ａの外周縁部に「２月」と表示された逆扇状の部分１６ｃには、「節分の鬼と福の神」を表す記号Ｅ２が表示されており、穴部１６ａの外周縁部に「３月」と表示された逆扇状の部分１６ｃには、「雛祭りの雛人形」を表す記号Ｅ３が表示されている。また、図５に示すように、穴部１６ａの外周縁部に「４月」と表示された逆扇状の部分１６ｃには、「テントウムシとハチ」を表す記号Ｅ４が表示されており、穴部１６ａの外周縁部に「５月」と表示された逆扇状の部分１６ｃには、「端午の節句の鯉のぼり」を表す記号Ｅ５が表示されており、穴部１６ａの外周縁部に「６月」と表示された逆扇状の部分１６ｃには、「カエル」を表す記号Ｅ６が表示されている。また、図３に示すように、穴部１６ａの外周縁部に「７月」と表示された逆扇状の部分１６ｃには、「潜水艦」を表す記号Ｅ７が表示されており、穴部１６ａの外周縁部に「８月」と表示された逆扇状の部分１６ｃには、「蚊遣豚」を表す記号Ｅ８が表示されており、穴部１６ａの外周縁部に「９月」と表示された逆扇状の部分１６ｃには、「カカシ」を表す記号Ｅ９が表示されている。また、図５に示すように、穴部１６ａの外周縁部に「１０月」と表示された逆扇状の部分１６ｃには、「ハロウィン」を示す記号Ｅ１０が表示されており、穴部１６ａの外周縁部に「１１月」と表示された逆扇状の部分１６ｃには、「キノコ」を表す記号Ｅ１１が表示されており、穴部１６ａの外周縁部に「１２月」と表示された逆扇状の部分１６ｃには、「雪ダルマ」を表す記号Ｅ１２が表示されている。なお、図１に示すように、外箱１２には、箱本体１６の穴部１６ａに差し入れられた１２本の歯ブラシ１４ａ乃至１４ｌの第１識別記号Ａ１乃至Ａ１２が示す各月を示す１２個の上記記号Ｅ１乃至Ｅ１２が表示されている。
【００２７】
１２本の歯ブラシ１４ａ乃至１４ｌは、図６、図８乃至図１１に示すように、それぞれ長手状の収容袋１８の中に入れられている。また、上記収容袋１８は、透明な袋であり、図示しないが、歯ブラシ１４ａ乃至１４ｌが箱本体１６の穴部１６ａに差し入れられた時において、歯ブラシ１４ａ乃至１４ｌの把持部Ｇ３に表示された第１識別記号Ａ１乃至Ａ１２を目視することが可能である。
【００２８】
箱本体１６の上面を構成する厚紙は、図３および図５の一点鎖線に示すように、それぞれの穴部１６ａを囲むように矩形状に分割されその分割された場所がそれぞれ異なる色で着色された着色領域Ｆ１乃至Ｆ１２を有している。また、１２本の歯ブラシ１４ａ乃至１４ｌはそれぞれ異なる色に着色されており、箱本体１６の穴部１６ａに差し込まれる歯ブラシ１４ａ乃至１４ｌの色は、例えば上記着色領域Ｆ１乃至Ｆ１２の色と同じになるようになっている。
【００２９】
以上のように構成された箱１０に収容された一組の歯ブラシ１４では、歯ブラシ１４ａ乃至１４ｌを使用する使用者が、第１識別記号Ａ１乃至Ａ１２が当月を表示する歯ブラシ１４ａ乃至１４ｌを用いると共に、その第１識別記号Ａ１乃至Ａ１２が示す月が変わるとその歯ブラシ１４ａ乃至１４ｌを取り替える。例えば、４月であれば第１識別記号Ａ４が把持部Ｇ３に表示された歯ブラシ１４ｄを用いると共に、５月になるとその第１識別記号Ａ４が表示された歯ブラシ１４ｄから第１識別記号Ａ５が表示された歯ブラシ１４ｅに取り替える。また、歯ブラシ１４ａ乃至１４ｌを取り替える際において、箱本体１６の穴部１６ｃから歯ブラシ１４ａ乃至１４ｌを取り出すと、その歯ブラシ１４ａ乃至１４ｌで隠されていた逆扇状の部分１６ｃに表示された記号Ｅ１乃至Ｅ１２が表れる。
【００３０】
上述のように、本実施例の一組の歯ブラシ１４によれば、一組の歯ブラシ１４は、１月乃至１２月の各月を識別可能な第１識別記号Ａ１乃至Ａ１２がそれぞれ表示された１２本の歯ブラシ１４ａ乃至１４ｌであるので、第１識別記号Ａ１乃至Ａ１２が当月を表示する歯ブラシ１４ａ乃至１４ｌを用いると共に、その第１識別記号Ａ１乃至Ａ１２が示す月が変わるとその歯ブラシ１４ａ乃至１４ｌを取り替える。このため、一組の歯ブラシ１４を１ヶ月に１回月が変わると取り替えるので、適切な時期に容易に歯ブラシ１４ａ乃至１４ｌを取り替えることができる。
【００３１】
また、本実施例の一組の歯ブラシ１４によれば、一組の歯ブラシ１４は、一つの箱本体１６に形成された１２個の穴部１６ａにそれぞれの下部を差し入れられ、箱本体１６の１２個の穴部１６ａの外周縁部には、その穴部１６ａに差し入れられた歯ブラシ１４ａ乃至１４ｌに表示された第１識別記号Ａ１乃至Ａ１２に対応する月を示す第２識別記号Ｃ１乃至Ｃ１２がそれぞれ表示されている。このため、月が変わり歯ブラシ１４ａ乃至１４ｌを取り替える時において、箱本体１６の穴部１６ａの外周縁部に表示された第２識別記号Ｃ１乃至Ｃ１２からも現在の月を表す歯ブラシ１４ａ乃至１４ｌを取り出すことができるので、月が変わったら歯ブラシ１４ａ乃至１４ｌを容易に取り替えることができる。
【００３２】
また、本実施例の一組の歯ブラシ１４によれば、箱本体１６に形成された穴部１６ａは、箱本体１６の上面を構成する厚紙に切り込まれた切込み１６ｂにより形成された逆扇状の部分１６ｃが、箱本体１６の内側に折り曲げられることによって形成されたものである。このため、箱本体１６の上面に形成された穴部１６ａに一部が差し入れられた歯ブラシ１４ａ乃至１４ｌがそれぞれ容易に保持されることができる。
【００３３】
また、本実施例の一組の歯ブラシ１４によれば、穴部１６ａが形成された箱本体１６の上面は、上方に向かう程互に接近する一対の斜面１６ｄ、１６ｅから構成されている。このため、箱本体１６の上面を平面視の面積よりも大きい一対の斜面１６ｄ、１６ｅを用いて１２本の歯ブラシ１４ａ乃至１４ｌをそれぞれ穴部１６ａに差し入れることができると共に、例えば図３および図５に示すように箱本体１６を正面から見た時において、箱本体１６の穴部１６ａの外周縁部に表示された第２識別記号Ｃ１乃至Ｃ１２を好適に見ることができる。
【００３４】
また、本実施例の一組の歯ブラシ１４によれば、一対の斜面１６ｄ、１６ｅには、１２個の穴部１６ａのうちの６個の穴部１６ａがそれぞれ配設されている。このため、例えば一つの斜面１６ｄ、１６ｅに１２個の穴部１６ａを配設するに比較して箱本体１６の高さ寸法を好適に小さくすることができる。
【００３５】
また、本実施例の一組の歯ブラシ１４によれば、一対の斜面１６ｄ、１６ｆにそれぞれ形成された６個の穴部１６ａは、縦方向Ｈにおいて所定間隔Ｄを隔てる一対の穴部１６ａがその穴部１６ａの横方向寸法Ｍよりも短いピッチで３ヶ所に配設されており、所定の一対の穴部１６ａの端部は、他の一対の穴部１６ａの端部と縦方向Ｈにおいて重なっている。このため、比較的小さい面積の一対の斜面１６ｄ、１６ｅにおいて、穴部１６ａの大きさを好適に大きくすることができる。
【００３６】
また、本実施例の一組の歯ブラシ１４によれば、箱本体１６は、外箱１２によりその全体を下方から嵌め入れられ、その外箱１２には、箱本体１６の穴部１６ａに差し入れられた１２本の歯ブラシ１４ａ乃至１４ｌが示す各月を示す１２個の記号Ｅ１乃至Ｅ１２が表示される。このため、箱１０の外箱１２には、１２本の歯ブラシ１４ａ乃至１４ｌが示す各月を示す記号Ｅ１乃至Ｅ１２が表示されているので、外箱１２のデザイン性が向上すると共に、１年分の１２本の歯ブラシ１４ａ乃至１４ｌが収容されている商品であることが容易に視認される。
【００３７】
続いて、本考案の他の実施例を図面に基づいて詳細に説明する。
【実施例２】
【００３８】
本実施例は、図１２に示すように、一組の歯ブラシ１４すなわち１２本の歯ブラシ１４ａ乃至１４ｌが、１つの箱１０ではなく１つの収容袋２０に入れられている点で実施例１と相違しており、その他の点は、実施例１と略同様である。
【００３９】
図１２に示すように、１２本の歯ブラシ１４ａ乃至１４ｌは、透明な袋である１つの収容袋２０の中にその第１識別記号Ａ１乃至Ａ１２が１月〜１２月と順になるように２列で収容されている。なお、収容袋２０は透明であるので、１２本の歯ブラシ１４ａ乃至１４ｌがその収容袋２０に収容された状態において、使用者は歯ブラシ１４ａ乃至１４ｌの把持部Ｇ３に表示された第１識別記号Ａ１乃至Ａ１２を目視することが可能である。
【００４０】
上述のように、本実施例の一組の歯ブラシ１４によれば、１２本の歯ブラシ１４ａ乃至１４ｌは、それら１２本の歯ブラシ１４ａ乃至１４ｌを収容する一つの収容袋２０に入れられている。このため、その共通の１つの収容袋２０によって１２本の歯ブラシ１４ａ乃至１４ｌがそれぞれバラバラになることがなくなるので、一年間を通して１２本の歯ブラシ１４ａ乃至１４ｌを好適に使用することができる。
【実施例３】
【００４１】
本実施例の一組の歯ブラシは、図１３に示すように、その歯ブラシの毛先Ｊの形状が、前述の実施例１の一組の歯ブラシ１４の毛先Ｇ５の形状と異なる点で相違しており、その他の点は、実施例１の一組の歯ブラシ１４と略同様である。なお、上記歯ブラシは、図１３に示すように、超極細毛Ｊ１とラウンド毛Ｊ２との組み合せによる二段植毛である。
【００４２】
以上、本考案の実施例を図面に基づいて詳細に説明したが、本考案はその他の態様においても適用される。
【００４３】
本実施例の一組の歯ブラシ１４おいて、第１識別記号Ａ１乃至Ａ１２は、各月を英語および数字とその各月に関連する絵とで表していたが、少なくとも１つが表示されていれば良い。すなわち、例えば第１識別記号Ａ１であれば、「January」と「１」と「松」の絵との少なくとも１つが表示されていれば良い。また、上記第１識別記号Ａ１乃至Ａ１２は、各月を英語や数字で表していたがそれ以外の記号が使用されても良い。すなわち、第１識別記号Ａ１乃至Ａ１２は、１月乃至１２月の各月を識別可能な記号であればどのような記号が使用されても良い。
【００４４】
また、本実施例の箱本体１６において、第２識別記号Ｃ１乃至Ｃ１２は、「１月」乃至「１２月」を使用していたが、それ以外の記号が使用されても良い。すなわち、第２識別記号Ｃ１乃至Ｃ１２は、１月乃至１２月の各月を識別可能な記号であればどのような記号が使用されても良い。
【００４５】
また、本実施例の箱本体１６において、穴部１６ａに差し込まれる歯ブラシ１４ａ乃至１４ｌの色は、着色領域Ｆ１乃至Ｆ１６の色と同じになるようになっていたが違っても良い。また、１２本の歯ブラシ１４ａ乃至１４ｌの色がそれぞれ異なる色にしなくても良い。
【００４６】
また、本実施例の１つの収容袋２０内では、１２本の歯ブラシ１４ａ乃至１４ｌが２列に入れられていたが、２列でなくても良い。すなわち、収容袋２０内において、１２本の歯ブラシ１４ａ乃至１４ｌはどのような位置に配置されても良い。
【００４７】
なお、上述したのはあくまでも一実施形態であり、本考案は当業者の知識に基づいて種々の変更、改良を加えた態様で実施することができる。
【符号の説明】
【００４８】
１０：箱
１２：外箱
１４：一組の歯ブラシ
１４ａ乃至１４ｌ：歯ブラシ
１６：箱本体
１６ａ：穴部
１６ｂ：切込み
１６ｃ：部分
１６ｄ、１６ｅ：一対の斜面
２０：収容袋
Ａ１乃至Ａ１２：第１識別記号(識別記号)
Ｃ１乃至Ｃ１２：第２識別記号(他の識別記号)
Ｄ：所定間隔
Ｅ１乃至Ｅ１２：記号
Ｈ：縦方向
Ｍ：横方向寸法
【図１】
0003185486.tif 000003
【図２】
0003185486.tif 000004
【図３】
0003185486.tif 000005
【図４】
0003185486.tif 000006
【図５】
0003185486.tif 000007
【図６】
0003185486.tif 000008
【図７】
0003185486.tif 000009
【図８】
0003185486.tif 000010
【図９】
0003185486.tif 000011
【図１０】
0003185486.tif 000012
【図１１】
0003185486.tif 000013
【図１２】
0003185486.tif 000014
【図１３】
0003185486.tif 000015